【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
航空券予約を受けて搭乗券を発行する搭乗券発行機関に設けられたホストコンピュータと、
各ユーザ機関に設けられた端末と、
空港に設けられた搭乗券発券機と、
各ユーザ機関内の利用者個人に関する利用者ＩＤ情報が記録されたＩＤ記録媒体と、
を備えたＩＤ情報利用の搭乗券発行システムであって、
各ユーザ機関の端末は、
搭乗券発行機関に対して各ユーザ機関及び当該ユーザ機関内の利用者個人のＩＤ情報と回数割引希望情報とを用いて航空券予約申請を行う予約申請機能
を有し、
搭乗券発行機関のホストコンピュータは、
端末からの航空券予約申請に基づいて航空券予約を成立させる予約受領機能
を有し、
空港の搭乗券発券機は、前記ホストコンピュータに接続されており、
ＩＤ記録媒体から利用者ＩＤ情報を読取るＩＤ読取機能と、
前記航空券予約のために端末によって用いられた利用者個人のＩＤ情報と搭乗券発券機にて読取った利用者ＩＤ情報との照合結果に基づいて対応する航空券予約情報に基づく搭乗券を前記搭乗券発券機から発券する機能と、
を有し、
更に前記搭乗券発行機関のホストコンピュータは、
搭乗券の発券が、回数割引利用の初回であるか否かを判定する回数割引開始判定機能と、
回数割引開始判定機能によって回数割引利用の初回であることが判定された場合、当該搭乗券の発券日を回数割引開始日として設定する開始日設定機能と、
搭乗券の発行回数を回数割引利用の回数としてカウントする割引利用数カウント機能と、
開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、
回数割引サービス利用分の請求額を算出する利用分請求額算出機能と、
開始日設定機能によって設定された回数割引開始日から所定の期日が経過した際に、割引利用数カウント機能によってカウントされた回数割引利用の回数が所定回数に到達していない場合、回数割引サービス有効期間経過による未利用分の請求額を算出する未利用分請求額算出機能と、
を有する
ことを特徴とするＩＤ情報利用の搭乗券発行システム。
【請求項２】
利用分請求額算出機能は、所定の割引料金にて利用分請求額を算出する機能である
ことを特徴とする請求項１に記載のＩＤ情報利用の搭乗券発行システム。
【請求項３】
利用分請求額算出機能は、搭乗券の発券の度毎に利用分請求額を算出する機能である
ことを特徴とする請求項１または２に記載のＩＤ情報利用の搭乗券発行システム。
【請求項４】
未利用分請求額算出機能は、搭乗券が発券されたのと同様の料金にて未利用分請求額を算出する機能である
ことを特徴とする請求項１乃至３のいずれかに記載のＩＤ情報利用の搭乗券発行システム。
【請求項５】
航空券予約を受けて搭乗券を発行する搭乗券発行機関に設けられたホストコンピュータと、
各ユーザ機関に設けられた端末と、
空港に設けられた搭乗券発券機と、
各ユーザ機関内の利用者個人に関する利用者ＩＤ情報が記録されたＩＤ記録媒体と、
を備えたＩＤ情報利用の搭乗券発行システムであって、
各ユーザ機関の端末は、
搭乗券発行機関に対して各ユーザ機関及び当該ユーザ機関内の利用者個人のＩＤ情報と回数割引希望情報とを用いて航空券予約申請を行う予約申請機能
を有し、
搭乗券発行機関のホストコンピュータは、
端末からの航空券予約申請に基づいて航空券予約を成立させる予約受領機能
を有し、
空港の搭乗券発券機は、前記ホストコンピュータに接続されており、
ＩＤ記録媒体から利用者ＩＤ情報を読取るＩＤ読取機能と、
前記航空券予約のために端末によって用いられた利用者個人のＩＤ情報と搭乗券発券機にて読取った利用者ＩＤ情報との照合結果に基づいて対応する航空券予約情報に基づく搭乗券を前記搭乗券発券機から発券する機能と、
を有し、
更に前記搭乗券発行機関のホストコンピュータは、
搭乗券の発券が、回数割引利用の初回であるか否かを判定する回数割引開始判定機能と、
回数割引開始判定機能によって回数割引利用の初回であることが判定された場合、当該搭乗券の発券日を回数割引開始日として設定する開始日設定機能と、
所定回数利用分の請求額を予め算出する前払い請求額算出機能と、
搭乗券の発行回数を回数割引利用の回数としてカウントする割引利用数カウント機能と、
開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、
を有する
ことを特徴とするＩＤ情報利用の搭乗券発行システム。
【請求項６】
前払い請求額算出機能は、所定の割引料金にて所定回数利用分の請求額を算出する機能である
ことを特徴とする請求項５に記載のＩＤ情報利用の搭乗券発行システム。
【請求項７】
搭乗券発行機関のホストコンピュータは、搭乗券発券機から送信される搭乗券の発券結果情報を蓄積する情報蓄積機能を有する
ことを特徴とする請求項１乃至６のいずれかに記載のＩＤ情報利用の搭乗券発行システム。
【請求項８】
各ユーザ機関に設けられた端末は、汎用パソコンである
ことを特徴とする請求項１乃至７のいずれかに記載のＩＤ情報利用の搭乗券発行システム。
【請求項９】
回数割引開始判定機能は、発券された搭乗券が回数割引利用の初回であるか否かを、航空路線毎に判定する機能であり、
割引利用数カウント機能は、搭乗券の発行回数を、航空路線毎に、回数割引利用の回数としてカウントする機能である
ことを特徴とする請求項１乃至８のいずれかＩＤ情報利用の搭乗券発行システム。
【請求項１０】
各ユーザ機関に設けられた端末に接続されて使用される搭乗券発行ホストコンピュータシステムであって、
前記端末からの、各ユーザ機関及び当該ユーザ機関内の利用者個人のＩＤ情報と回数割引希望情報とを用いての航空券予約申請に基づいて航空券予約を成立させる予約受領機能を備え、
前記航空券予約のために端末によって用いられた利用者個人のＩＤ情報と搭乗券発券機にてＩＤ記録媒体から読取った利用者ＩＤ情報との照合結果に基づいて対応する航空券予約情報に基づく搭乗券を発券する空港の搭乗券発券機に接続されており、
搭乗券の発券が、回数割引利用の初回であるか否かを判定する回数割引開始判定機能と、
回数割引開始判定機能によって回数割引利用の初回であることが判定された場合、当該搭乗券の発券日を回数割引開始日として設定する開始日設定機能と、
搭乗券の発行回数を回数割引利用の回数としてカウントする割引利用数カウント機能と、
開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、
回数割引サービス利用分の請求額を算出する利用分請求額算出機能と、
開始日設定機能によって設定された回数割引開始日から所定の期日が経過した際に、割引利用数カウント機能によってカウントされた回数割引利用の回数が所定回数に到達していない場合、回数割引サービス有効期間経過による未利用分の請求額を算出する未利用分請求額算出機能と、
を更に有することを特徴とする搭乗券発行ホストコンピュータシステム。
【請求項１１】
各ユーザ機関に設けられた端末に接続されて使用される搭乗券発行ホストコンピュータシステムであって、
前記端末からの、各ユーザ機関及び当該ユーザ機関内の利用者個人のＩＤ情報と回数割引希望情報とを用いての航空券予約申請に基づいて航空券予約を成立させる予約受領機能を備え、
前記航空券予約のために端末によって用いられた利用者個人のＩＤ情報と搭乗券発券機にてＩＤ記録媒体から読取った利用者ＩＤ情報との照合結果に基づいて対応する航空券予約情報に基づく搭乗券を発券する空港の搭乗券発券機に接続されており、
搭乗券の発券が、回数割引利用の初回であるか否かを判定する回数割引開始判定機能と、
回数割引開始判定機能によって回数割引利用の初回であることが判定された場合、当該搭乗券の発券日を回数割引開始日として設定する開始日設定機能と、
所定回数利用分の請求額を予め算出する前払い請求額算出機能と、
搭乗券の発行回数を回数割引利用の回数としてカウントする割引利用数カウント機能と、
開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、
を更に有することを特徴とする搭乗券発行ホストコンピュータシステム。
【手続補正２】
【補正対象書類名】明細書
【補正対象項目名】００１１
【補正方法】変更
【補正の内容】
【００１１】
【課題を解決するための手段】
本発明は、航空券予約を受けて搭乗券を発行する搭乗券発行機関に設けられたホストコンピュータと、各ユーザ機関に設けられた端末と、空港に設けられた搭乗券発券機と、ＩＤ情報が記録されたＩＤ記録媒体と、を備え、各ユーザ機関の端末は、搭乗券発行機関に対して各ユーザ機関毎のＩＤ情報と回数割引希望情報とを表示して航空券予約申請を行う予約申請機能を有し、搭乗券発行機関のホストコンピュータは、端末からの航空券予約申請に基づいて航空券予約を成立させる予約受領機能と、成立した航空券予約情報と、当該航空券予約のために端末によって表示されたＩＤ情報とを空港の搭乗券発券機に送信する待機指令機能と、搭乗券発券機から送信される搭乗券の発券結果情報に基づいて、発券された搭乗券が、回数割引利用の初回であるか否かを判定する回数割引開始判定機能と、回数割引開始判定機能によって回数割引利用の初回であることが判定された場合、当該搭乗券の発券日を回数割引開始日として設定する開始日設定機能と、搭乗券発券機から送信される搭乗券の発券結果情報に基づいて、搭乗券の発行回数を回数割引利用の回数としてカウントする割引利用数カウント機能と、開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、回数割引サービス利用分の請求額を算出する利用分請求額算出機能と、開始日設定機能によって設定された回数割引開始日から所定の期日が経過した際に、割引利用数カウント機能によってカウントされた回数割引利用の回数が所定回数に到達していない場合、回数割引サービス有効期間経過による未利用分の請求額を算出する未利用分請求額算出機能と、を有し、空港の搭乗券発券機は、ＩＤ記録媒体の入力を通じて利用者ＩＤ情報を読取るＩＤ読取機能と、読取った利用者ＩＤ情報とホストコンピュータから送信された利用者ＩＤ情報とを照合する照合機能と、照合した結果に基づいて対応する航空券予約情報に基づく搭乗券を発券する発券機能と、搭乗券発券の事実をホストコンピュータに送信する発券結果送信機能とを有する、ことを特徴とするＩＤ情報利用の搭乗券発行システムである。
【手続補正３】
【補正対象書類名】明細書
【補正対象項目名】００１２
【補正方法】変更
【補正の内容】
【００１２】
また、本発明は、航空券予約を受けて搭乗券を発行する搭乗券発行機関に設けられたホストコンピュータと、各ユーザ機関に設けられた端末と、空港に設けられた搭乗券発券機と、各ユーザ機関内の利用者個人に関する利用者ＩＤ情報が記録されたＩＤ記録媒体と、を備えたＩＤ情報利用の搭乗券発行システムであって、各ユーザ機関の端末は、搭乗券発行機関に対して各ユーザ機関及び当該ユーザ機関内の利用者個人のＩＤ情報と回数割引希望情報とを用いて航空券予約申請を行う予約申請機能を有し、搭乗券発行機関のホストコンピュータは、端末からの航空券予約申請に基づいて航空券予約を成立させる予約受領機能を有し、空港の搭乗券発券機は、前記ホストコンピュータに接続されており、ＩＤ記録媒体から利用者ＩＤ情報を読取るＩＤ読取機能と、前記航空券予約のために端末によって用いられた利用者個人のＩＤ情報と搭乗券発券機にて読取った利用者ＩＤ情報との照合結果に基づいて対応する航空券予約情報に基づく搭乗券を前記搭乗券発券機から発券する機能と、を有し、更に前記搭乗券発行機関のホストコンピュータは、搭乗券の発券が、回数割引利用の初回であるか否かを判定する回数割引開始判定機能と、回数割引開始判定機能によって回数割引利用の初回であることが判定された場合、当該搭乗券の発券日を回数割引開始日として設定する開始日設定機能と、搭乗券の発行回数を回数割引利用の回数としてカウントする割引利用数カウント機能と、開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、回数割引サービス利用分の請求額を算出する利用分請求額算出機能と、開始日設定機能によって設定された回数割引開始日から所定の期日が経過した際に、割引利用数カウント機能によってカウントされた回数割引利用の回数が所定回数に到達していない場合、回数割引サービス有効期間経過による未利用分の請求額を算出する未利用分請求額算出機能と、を有することを特徴とするＩＤ情報利用の搭乗券発行システムである。
また、本発明は、各ユーザ機関に設けられた端末に接続されて使用される搭乗券発行ホストコンピュータシステムであって、前記端末からの、各ユーザ機関及び当該ユーザ機関内の利用者個人のＩＤ情報と回数割引希望情報とを用いての航空券予約申請に基づいて航空券予約を成立させる予約受領機能を備え、前記航空券予約のために端末によって用いられた利用者個人のＩＤ情報と搭乗券発券機にてＩＤ記録媒体から読取った利用者ＩＤ情報との照合結果に基づいて対応する航空券予約情報に基づく搭乗券を発券する空港の搭乗券発券機に接続されており、搭乗券の発券が、回数割引利用の初回であるか否かを判定する回数割引開始判定機能と、回数割引開始判定機能によって回数割引利用の初回であることが判定された場合、当該搭乗券の発券日を回数割引開始日として設定する開始日設定機能と、搭乗券の発行回数を回数割引利用の回数としてカウントする割引利用数カウント機能と、開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、回数割引サービス利用分の請求額を算出する利用分請求額算出機能と、開始日設定機能によって設定された回数割引開始日から所定の期日が経過した際に、割引利用数カウント機能によってカウントされた回数割引利用の回数が所定回数に到達していない場合、回数割引サービス有効期間経過による未利用分の請求額を算出する未利用分請求額算出機能と、を更に有することを特徴とする搭乗券発行ホストコンピュータシステムである。
本発明によれば、回数券の券片に相当するものが実際に発行されることがないため、回数券の券片の２次流通という事態が完全に回避される他、利用者は回数券の券片の紛失を気にせずにすむ。また、回数券利用者が一つのグループとしてのユーザ機関に属していることを、ＩＤ記憶媒体のＩＤ情報によって照合することにより、例えば同一日の違う便を利用する利用者グループに同一の回数割引サービスを提供可能である等、より柔軟な回数割引サービスの提供が可能となる。
【手続補正４】
【補正対象書類名】明細書
【補正対象項目名】００１７
【補正方法】変更
【補正の内容】
【００１７】
また、本発明は、航空券予約を受けて搭乗券を発行する搭乗券発行機関に設けられたホストコンピュータと、各ユーザ機関に設けられた端末と、空港に設けられた搭乗券発券機と、各ユーザ機関内の利用者個人に関する利用者ＩＤ情報が記録されたＩＤ記録媒体と、を備えたＩＤ情報利用の搭乗券発行システムであって、各ユーザ機関の端末は、搭乗券発行機関に対して各ユーザ機関及び当該ユーザ機関内の利用者個人のＩＤ情報と回数割引希望情報とを用いて航空券予約申請を行う予約申請機能を有し、搭乗券発行機関のホストコンピュータは、端末からの航空券予約申請に基づいて航空券予約を成立させる予約受領機能を有し、空港の搭乗券発券機は、前記ホストコンピュータに接続されており、ＩＤ記録媒体から利用者ＩＤ情報を読取るＩＤ読取機能と、前記航空券予約のために端末によって用いられた利用者個人のＩＤ情報と搭乗券発券機にて読取った利用者ＩＤ情報との照合結果に基づいて対応する航空券予約情報に基づく搭乗券を前記搭乗券発券機から発券する機能と、を有し、更に前記搭乗券発行機関のホストコンピュータは、搭乗券の発券が、回数割引利用の初回であるか否かを判定する回数割引開始判定機能と、回数割引開始判定機能によって回数割引利用の初回であることが判定された場合、当該搭乗券の発券日を回数割引開始日として設定する開始日設定機能と、所定回数利用分の請求額を予め算出する前払い請求額算出機能と、搭乗券の発行回数を回数割引利用の回数としてカウントする割引利用数カウント機能と、開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、を有することを特徴とするＩＤ情報利用の搭乗券発行システムである。
また、本発明は、各ユーザ機関に設けられた端末に接続されて使用される搭乗券発行ホストコンピュータシステムであって、前記端末からの、各ユーザ機関及び当該ユーザ機関内の利用者個人のＩＤ情報と回数割引希望情報とを用いての航空券予約申請に基づいて航空券予約を成立させる予約受領機能を備え、前記航空券予約のために端末によって用いられた利用者個人のＩＤ情報と搭乗券発券機にてＩＤ記録媒体から読取った利用者ＩＤ情報との照合結果に基づいて対応する航空券予約情報に基づく搭乗券を発券する空港の搭乗券発券機に接続されており、搭乗券の発券が、回数割引利用の初回であるか否かを判定する回数割引開始判定機能と、回数割引開始判定機能によって回数割引利用の初回であることが判定された場合、当該搭乗券の発券日を回数割引開始日として設定する開始日設定機能と、所定回数利用分の請求額を予め算出する前払い請求額算出機能と、搭乗券の発行回数を回数割引利用の回数としてカウントする割引利用数カウント機能と、開始日設定機能によって設定された回数割引開始日から所定の期日が経過する前に、割引利用数カウント機能によってカウントされた回数割引利用の回数が所定回数に到達した場合、あるいは、開始日設定機能によって設定された回数割引開始日から所定の期日が経過した際に、割引利用数カウント機能によってカウントされた回数割引利用の回数が所定回数に到達していない場合、回数割引利用の回数を０にリセットする回数リセット機能と、を更に有することを特徴とする搭乗券発行ホストコンピュータシステムである。
本発明によっても、回数券の券片に相当するものが実際に発行されることがないため、回数券の券片の２次流通という事態が完全に回避される他、利用者は回数券の券片の紛失を気にせずにすむ。また、回数券利用者が一つのグループとしてのユーザ機関に属していることを、ＩＤ記憶媒体のＩＤ情報によって照合することにより、例えば同一日の違う便を利用する利用者グループに同一の回数割引サービスを提供可能である等、より柔軟な回数割引サービスの提供が可能となる。
【手続補正５】
【補正対象書類名】明細書
【補正対象項目名】００２６
【補正方法】変更
【補正の内容】
【００２６】
また、航空券予約申請の際に、利用者個人またはユーザ機関の希望に応じて、汎用パソコン１３は回数割引希望情報（回数割引サービスの利用を選択することを希望する旨を内容とする情報）をもホストコンピュータ１１に送信（表示）することが可能となっている。
【手続補正６】
【補正対象書類名】明細書
【補正対象項目名】００４０
【補正方法】変更
【補正の内容】
【００４０】
一方、ホストコンピュータ１１は、回数割引サービス利用分（搭乗分）の請求額を算出するようになっている（利用分請求額算出機能）と共に、第４記憶部１１ｄに記憶された回数割引の最終利用期日（回数割引開始日から所定の期日）が経過した際に、第１記憶部１１ａに記憶された回数（カウントされた回数割引利用の回数）が第５記憶部１１ｅに記憶された所定回数に到達していない場合に、回数割引サービス有効期間経過（徒過）による未利用分（未搭乗分）の請求額を算出するようになっている（未利用分請求額算出機能）。
【手続補正７】
【補正対象書類名】明細書
【補正対象項目名】００５９
【補正方法】変更
【補正の内容】
【００５９】
一方、ホストコンピュータ１１は、回数割引サービス利用分の請求額を算出する（利用分請求額算出機能）。この場合、所定の割引料金にて、搭乗券１７の発券の度毎に、利用分請求額を算出する。例えば、通常料金２５０００円なら、割引料金２００００円として、搭乗券１７の発券の度毎に請求額を算出する。
【手続補正８】
【補正対象書類名】明細書
【補正対象項目名】００６０
【補正方法】変更
【補正の内容】
【００６０】
また、ホストコンピュータ１１は、第４記憶部１１ｄに記憶された回数割引の最終利用期日（回数割引開始日から所定の期日）が経過した際に、第１記憶部１１ａに記憶された回数（カウントされた回数割引利用の回数）が第５記憶部１１ｅに記憶された所定回数に到達していない場合に、回数割引サービス有効期間経過による未利用分の請求額を算出する（未利用分請求額算出機能）。この場合、搭乗券１７が発券されたのと同様の料金にて、すなわち、その分の利用がなされたと仮定して、未利用分請求額を算出する。例えば２回分の未利用が存在する場合、２×２００００円＝４００００円を請求額として算出する。
【手続補正９】
【補正対象書類名】明細書
【補正対象項目名】００６８
【補正方法】変更
【補正の内容】
【００６８】
この場合、各記憶部１１ａ〜１１ｅについても、航空便毎に用意される必要がある、なお、以上に説明した実施の形態のホストコンピュータ１１は、搭乗券の発券の度毎に利用分請求額を算出し（利用分請求額算出機能）、第４記憶部１１ｄに記憶された回数割引の最終利用期日（回数割引開始日から所定の期日）が経過した際に、回数割引サービス有効期間経過による未利用分の請求額を算出する（未利用分請求額算出機能）ものである。しかしながら、これらの算出機能の代わりに、回数割引開始日において所定回数利用分の請求額を予め算出する前払い請求額算出機能を有していてもよい。例えば、６回の回数割引サービスであって、通常料金２５０００円を２００００円に割引く場合、６×２００００円＝１２００００円を予め算出してもよい。